(57)【要約】【課題】分岐管部と本管部との接続部分での排水及び排水ゴミの滞留を抑制する。【解決手段】配管継手３８は、水廻り器具からの排水を流す排水管に接続される本管部４１と、径方向断面がオーバルに形成され、本管部４１の円筒部４１Ａに、該円筒部４１Ａの軸方向Ｌ１に対して斜めに接続された分岐管部４２と、を有し、分岐管部４２は、径方向断面の長手方向４２Ｌを円筒部４１Ａの軸方向Ｌ１に向けた状態で本管部４１に接続され、分岐管部４２の短手方向４２Ｓの幅Ｄ２は、円筒部４１Ａの内径よりも小さい。【選択図】図３
2018105035.tif 000002
【特許請求の範囲】
【請求項１】
水廻り器具からの排水を流す排水管に接続される本管部と、
径方向断面がオーバルに形成され、前記本管部の円筒部に、該円筒部の軸方向に対して斜めに接続された分岐管部と、を有し、
前記分岐管部は、前記径方向断面の長手方向を前記円筒部の軸方向に向けた状態で前記本管部に接続され、
前記分岐管部の短手方向の幅は、前記円筒部の内径よりも小さい配管継手。
【請求項２】
前記分岐管部の前記本管部側とは反対側の端部には、徐々に拡径する漏斗部が設けられている請求項１に記載の配管継手。
【請求項３】
水廻り器具からの排水を下方へ流す排水管と、
前記排水管からの排水を横方向へ流す横引き管と、
前記横引き管からの排水を下方へ流す竪管と、
前記排水管に作用する圧力を緩和するための圧力緩和装置と、
前記圧力緩和装置を前記排水管に接続する請求項１又は請求項２に記載の配管継手と、
を有する排水システム。
【発明の詳細な説明】
【技術分野】
【０００１】
本発明は、配管継手及び排水システムに関する。
【背景技術】
【０００２】
従来、配管内の圧力を逃がすための圧力緩和装置として、空気圧により拡縮する拡縮室を設けた排水構造が知られている（特許文献１参照）。この拡縮室は、本管部（排水管）に対して傾斜して接続された分岐管部の先に取り付けられている。
【先行技術文献】
【特許文献】
【０００３】
【特許文献１】特開２０１１−１６９０８１号公報
【発明の概要】
【発明が解決しようとする課題】
【０００４】
しかしながら、上記した従来例のように、分岐管部を本管部に接続すると、流路抵抗が大きくなり、圧力緩和装置への空気の出入りに影響を及ぼすと考えられる。一方、分岐管部と本管部を円管にすると、本管部に対する分岐管部の開口形状が、角ばった部分を有する形状となる。この角ばった部分に、本管部を流れる排水が当たると、分岐管部内に撥ね返り、分岐管部と本管部との接続部分に排水が滞留し易くなる。また、この角ばった部分に、排水に含まれるごみが付着し、滞留し易くなる。このような滞留が生じると、圧力緩和装置への空気の出入りに影響を及ぼすと考えられる。
【０００５】
本発明は、分岐管部と本管部との接続部分での排水及び排水ゴミの滞留を抑制することを目的とする。
【課題を解決するための手段】
【０００６】
請求項１に係る配管継手は、水廻り器具からの排水を流す排水管に接続される本管部と、径方向断面がオーバルに形成され、前記本管部の円筒部に、該円筒部の軸方向に対して斜めに接続された分岐管部と、を有し、前記分岐管部は、前記径方向断面の長手方向を前記円筒部の軸方向に向けた状態で前記本管部に接続され、前記分岐管部の短手方向の幅は、前記円筒部の内径よりも小さい。
【０００７】
この配管継手では、分岐管部の径方向断面がオーバルに形成されており、該分岐管部が、径方向断面の長手方向を円筒部の軸方向に向けた状態で、本管部の円筒部に接続されている。分岐管部の短手方向の幅は、円筒部の内径よりも小さいので、本管部に対する分岐管部の開口部が角ばった部分を有しない形状となる。したがって、本管部を流れる排水が、分岐管部と本管部との接続部分で撥ね返ったり、排水に含まれるゴミが該接続部分に付着したりすることが抑制される。
【０００８】
請求項２の発明は、請求項１に記載の配管継手において、前記分岐管部の前記本管部側とは反対側の端部には、徐々に拡径する漏斗部が設けられている。
【０００９】
この配管継手では、分岐管部の本管部側とは反対側の端部に、徐々に拡径する漏斗部が設けられているので、分岐管に流入した排水に異物が混入している場合でも、該異物が分岐管部の壁面に引っ掛かり難く、本管部に向けてスムーズに排出される。
【００１０】
請求項３に係る排水システムは、水廻り器具からの排水を下方へ流す排水管と、前記排水管からの排水を横方向へ流す横引き管と、前記横引き管からの排水を下方へ流す竪管と、前記排水管に作用する圧力を緩和するための圧力緩和装置と、前記圧力緩和装置を前記排水管に接続する請求項１又は請求項２に記載の配管継手と、を有する。
【００１１】
この排水システムでは、排水時に排水管内に生じた圧力（正圧）は、配管継手の分岐管部に接続された圧力緩和装置により吸収される。このため、横引き管等の配管に圧力が残存する場合と比較して、複数器具を合流させた場合の封水の吹き出しや、臭気の発生を抑制することができる。
【００１２】
また、配管継手における分岐管部と本管部との接続部分において、排水及び排水ゴミの滞留を抑制することができる。
【発明の効果】
【００１３】
本発明に係る配管継手及び排水システムによれば、分岐管部と本管部との接続部分での排水及び排水ゴミの滞留を抑制することができる。
【図面の簡単な説明】
【００１４】
【図１】本実施形態に係る排水システムの概要を示す縦断面図である。
【図２】（Ａ）は本実施形態に係る圧力緩和装置を示す縦断面図である。（Ｂ）は、図２（Ａ）における２Ｂ−２Ｂ矢視拡大断面図である。
【図３】（Ａ）は、本実施形態に係る配管継手を示す斜視図である。（Ｂ）は、分岐管部の断面形状を示す、図３（Ａ）における３Ｂ−３Ｂ矢視断面図である。
【図４】本実施形態に係る配管継手を示す斜視図である。
【発明を実施するための形態】
【００１５】
以下、本発明を実施するための形態を図面に基づき説明する。
【００１６】
（排水システム）
図１において、本実施形態に係る排水システム１０は、例えばサイホン排水構造を備えている。建物の床スラブ１２の貫通穴１４を貫通した排水立て管１６には、水廻り器具からの配管を連結する排水継手１８が設けられており、上部の排水立て管１６からの排水と水廻り器具からの排水とを合流させるように構成されている。なお、図１では、各配管の接続部分の構成が適宜省略されて示されている。
【００１７】
各階には、水廻り器具としての台所流し１９と食洗機２０（一部のみ図示）が設けられている。台所流し１９と食洗機２０には、それぞれ排水が流れる排水口２２、２４が設けられている。台所流し１９の排水口２２は、汚臭やガス等の逆流を防止するための水封式の排水トラップ２６と連通しており、この排水トラップ２６は、いわゆる碗トラップで構成されている。食洗機２０は、逆流防止機能を有した電磁弁からなる逆流防止弁を備えており、汚臭やガス等の逆流を防止できるように構成されている。なお、食洗機２０の逆流防止弁は、水封トラップに置き換えても良い。
【００１８】
台所流し１９側の排水トラップ２６の底部には、排水トラップ２６と連通する接続管３０が設けられ、この接続管３０には、排水トラップ２６から下方に延び、排水トラップ２６からの排水を下方へ流す排水管３２が接続されている。また、食洗機２０の排水口２４の下流側には、排水を排水管３２の下方へ流す排水管３４が接続されている。
【００１９】
台所流し１９側の排水管３２には、Ｓ型の排水トラップ３１が設けられている。排水トラップ３１には、通気弁３６が設けられている。通気弁３６は、外部からの空気を排水管３２へ通過させると共に排水管３２から外部へ排水及び空気を通過させないための部品である。また、通気弁３６の下流側には、配管継手３８が設けられている。配管継手３８は、圧力緩和装置４０を排水管３２に接続する部材である。排水管３２には、配管継手３８における本管部４１が接続されている。配管継手３８における分岐管部４２の端部には、圧力緩和装置４０が設けられている。圧力緩和装置４０は、排水管３２に作用する圧力を緩和するための部品である。配管継手３８の下流側には、合流管４３が設けられており、台所流し１９側の排水管３２と食洗機２０側の排水管３４とは、該合流管４３で合流している。
【００２０】
本実施形態に係る排水システム１０は、排水管３２と、横引き管４６と、竪管４８と、圧力緩和装置４０と、配管継手３８とを有している。主に排水管３２、横引き４６及び竪管４８により、サイホン排水管４４が構成されている。
【００２１】
排水管３２は、上記したように、台所流し１９や食洗機２０等の水廻り器具からの排水を下方へ流す配管である。横引き管４６は、排水管３２からの排水を横方向へ流す配管である。竪管４８は、横引き管４６からの排水を下方へ流す配管であり、排水継手１８を介して排水立て管１６に接続されている。
【００２２】
このサイホン排水管４４では、横引き管４６から竪管４８へ流入した排水を下方へ流下させることによりサイホン力を発生させる。横引き管４６、排水管３２、及び合流管４３内の排水には、竪管４８で発生したサイホン力により引っ張られることで、排出方向へ向かうサイホン力が作用する。サイホン排水管４４において正圧が生じた場合には、圧力緩和装置４０によりその正圧を緩和できるようになっている。
【００２３】
ここで、排水管３２において正圧が発生するメカニズムを説明する。水廻り器具から排水の溜め流しがあった場合、排水は、排水トラップ２６，３１を介して排水管３２を下方へ満流状態で流れる。この際、排水管３２内の空気が排水によって押圧されるため、排水管３２内が正圧状態となる。また、サイホン排水構造では、サイホン排水管４４に満流状態を生じさせ易くするため、サイホン排水管４４の内径が従来の勾配排水管の内径よりも細く設定されており、排水が比較的流れ難い。したがって、サイホン排水構造を有する排水システム１０では、溜め流しの際に排水管３２内が正圧状態となり易い。なお、排水管３２内の正圧状態を緩和するため、排水が合流管４３及び排水管３４を介して食洗機２０側へ流入すると、食洗機２０の排水口２４から噴出する虞がある。
【００２４】
図２（Ａ）には、圧力緩和装置４０が配管継手３８に接続された状態の断面形状が示されている。圧力緩和装置４０は、図２（Ａ）及び（Ｂ）に示すように、配管継手３８に接続された袋体５０と袋体５０を覆うカバー５２とを備えている。
【００２５】
袋体５０は、水廻り器具の排水管３２に接続され、排水管３２からの圧力を下部内側から受けるように構成されている。この袋体５０は、図５及び図６に示すように、一端部が閉鎖された円筒状のゴム部材により形成されている。
【００２６】
なお、本実施形態では、袋体５０がゴム製の場合を例に挙げて説明するが、袋体５０は変形可能な弾性を有する部材であればよい。その材質としては、樹脂又はゴム以外のエラストマー等を用いることができる。
【００２７】
配管継手３８における分岐管部４２の端部は、大径円筒状の取付部６２とされており、取付部６２の端面角部は、先細りのテーパー面６２Ａを構成している。この取付部６２に、袋体５０及びカバー５２が取り付けられている。取付部６２の外周には、取付用雄ネジ部６２Ｂが形成されている。
【００２８】
カバー５２は、円筒状のカバー本体６４と、カバー本体６４の上部を閉鎖する天面６４Ａとを備えている。カバー本体６４の下端部には、大径部６４Ｂが形成されており、大径部６４Ｂの内周面には、取付用雌ネジ部６４Ｃが形成されている。これにより、カバー本体６４の大径部６４Ｂを配管継手３８の取付部６２に合わせて回転させることにより、大径部６４Ｂ内面の取付用雌ネジ部６４Ｃが取付部６２の取付用雄ネジ部６２Ｂに螺合し、カバー５２を配管継手３８に取り付けられるように構成されている。この取付状態において、カバー５２の大径部６４Ｂの内側面には、取付部６２のテーパー面６２Ａに対向する対向面６４Ｄが形成されている。
【００２９】
天面６４Ａは、円板状に形成されている。天面６４Ａには、中央部を中心とした円弧状の通気穴６４Ｅが複数形成されている。これにより、カバー５２の内側の内圧変化を抑制できるように構成されている。
【００３０】
カバー５２内には、袋体５０が収容されている。袋体５０の基端部は、該テーパー面６２Ａとカバー５２内側の対向面６４Ｄとによって挟持され、テーパー面６２Ａに密着されるように構成されている。これにより、袋体５０の内部と配管継手３８とが連通した状態で、外部との水密性が確保されている。また、袋体５０は、自立状態に維持されている。自立状態とは、常圧で袋体５０の最高高さが維持される状態をいう。
【００３１】
図２（Ｂ）に示されるように、袋体５０は、平面視において、中心部から外側へ湾曲して延びる形状に形成されている。この形状は、周方向の一方側に凸に湾曲して延びる形状やプロペラ状と言い換えることができる。袋体５０は、横方向（カバー５２の径方向外側）に弾性的に拡縮可能であり、排水管３２からの正圧を受けた際に、横方向に弾性変形して膨らみ、排水管３２に生じた圧力を緩和できるように構成されている。
【００３２】
（配管継手）
図３（Ａ）において、配管継手３８は、本管部４１と、分岐管部４２とを、例えば一体的に有している。
【００３３】
本管部４１は、水廻り器具からの排水を流す排水管３２に接続される部位である。本管部４１は、例えば円形断面を有する円筒状の直管であり、略全体が円筒部４１Ａとされている。配管継手３８は、本管部４１の軸方向Ｌ１を上下方向とし、かつ分岐管部４２の先端が上方に開口するようにして設置される。この分岐管部４２の先端、具体的には、本管部４１側とは反対側の端部には、徐々に拡径する漏斗部４２Ａが設けられている。漏斗部４２Ａは、大径円筒状の取付部６２に設けられている。
【００３４】
図１に示されるように、本管部４１の上端部は、排水管３２に接続される。図２（Ａ）、図３（Ａ）に示されるように、本管部４１の下部には大径部５４が形成されており、大径部５４の外周には、雄ネジ部５４Ａが形成されている。この雄ネジ部５４Ａを利用することにより、本管部４１の下部に合流管４３を接続できるようになっている（図１）。
【００３５】
図３（Ａ）、図３（Ｂ）に示されるように、分岐管部４２は、径方向断面がオーバルに形成され、本管部４１の円筒部４１Ａに、該円筒部４１Ａの軸方向Ｌ１に対して斜めに接続されている。円筒部４１Ａの軸方向Ｌ１に対する分岐管部４２の軸方向Ｌ２の傾斜角度θは、例えば３０〜６０°であり、より好ましくは４５°である。「オーバル」とは、長円、楕円、卵形又はこれらに似た閉曲線であり、オーバルの径方向断面には、互いに略直交する長手方向４２Ｌと短手方向４２Ｓが存在している。
【００３６】
分岐管部４２は、径方向断面の長手方向４２Ｌを円筒部４１Ａの軸方向Ｌ１に向けた状態で、本管部４１に接続されている。換言すれば、排水システム１０の上下方向に分岐管部４２の長手方向４２Ｌが向けられており、分岐管部４２が縦長に配置されている。
【００３７】
分岐管部４２における径方向断面の短手方向４２Ｓは、円筒部４１Ａの径方向に向いた状態とされている。分岐管部４２の短手方向４２Ｓの幅Ｄ２は、本管部４１の円筒部４１Ａの内径Ｄ１（図４）よりも小さい。このような内径の設定により、図４に示されるように、円筒部４１Ａに対する分岐管部４２の開口部５６は、円筒部４１Ａの軸方向Ｌ１に長く、かつ角ばった部分を有しない形状となっている。
【００３８】
（作用）
本実施形態は、上記のように構成されており、以下その作用について説明する。図１において、本実施形態に係る排水システム１０では、排水時に排水管３２内に生じた圧力（正圧）は、配管継手３８の分岐管部４２に接続された圧力緩和装置４０により吸収される。このため、横引き管４６等の配管に圧力が残存する場合と比較して、複数器具を合流させた場合の封水の吹き出しや、臭気の発生を抑制することができる。
【００３９】
また、配管継手３８は、分岐管部４２の径方向断面がオーバルに形成されており、該分岐管部４２が、径方向断面の長手方向４２Ｌを円筒部４１Ａの軸方向Ｌ１に向けた状態で、本管部４１の円筒部４１Ａに接続されている。分岐管部４２の短手方向４２Ｓの幅Ｄ２は、円筒部４１Ａの内径Ｄ１よりも小さいので、本管部４１に対する分岐管部４２の開口部５６が角ばった部分を有しない形状となる。
【００４０】
したがって、本管部４１を流れる排水が、分岐管部４２と本管部４１との接続部分で撥ね返ったり、排水に含まれるゴミが該接続部分に付着したりすることが抑制される。このため、分岐管部４２と本管部４１との接続部分での排水及び排水ゴミの滞留を抑制することができる。またこれによって、分岐管部４２に接続された圧力緩和装置４０を正常に機能させることができる。また、圧力緩和装置４０において、流入する空気と共に流入する排水ゴミの滞留を抑制できる。特にサイホン排水システムにおいては、サイホン力が発揮するまでは排水が比較的流れにくく、前記接続部分での排水ゴミ等の滞留が生じやすいため、本実施形態はサイホン排水システムに好適である。
【００４１】
また、分岐管部４２の本管部４１側とは反対側の端部に、徐々に拡径する漏斗部４２Ａが設けられているので、分岐管部４２に流入した排水に異物が混入している場合でも、該異物が分岐管部４２の壁面に引っ掛かり難く、本管部４１に向けてスムーズに排出される。
【００４２】
［他の実施形態］
【００４３】
以上、本発明の実施形態の一例について説明したが、本発明の実施形態は、上記に限定されるものでなく、上記以外にも、その主旨を逸脱しない範囲内において種々変形して実施可能であることは勿論である。
【００４４】
例えば、本実施形態における排水システム１０が、サイホン排水システムであるものとしたが、横引き管が勾配配管とされた従来の排水システムにも適用可能である。
【００４５】
また、分岐管部４２の本管部４１側とは反対側の端部に、徐々に拡径する漏斗部４２Ａが設けられるものとしたが、漏斗部４２Ａを有しない構造であってもよい。
【符号の説明】
【００４６】
１０…排水システム、１９…台所流し（水廻り器具）、３２…排水管、３８…配管継手、４０…圧力緩和装置、４１…本管部、４１Ａ…円筒部、４２…分岐管部、４２Ａ…漏斗部、４２Ｌ…長手方向、４２Ｓ…短手方向、４６…横引き管、４８…竪管、Ｄ１…円筒部の内径、Ｄ２…分岐管部の短手方向の幅、Ｌ１…軸方向
【図１】
2018105035.tif 000003
【図２】
2018105035.tif 000004
【図３】
2018105035.tif 000005
【図４】
2018105035.tif 000006